(57)【要約】  【課題】同じ相手先に画像データを送信する場合等に、カバーページを簡単に作成することができるネットワーク複合機を提供する。  【解決手段】カバーページ付送信の処理が指示されると、受信した件名とコメントをカバーページの雛形に埋め込んでカバーページを作成し（ステップ103）、カバーページの保存が選択されていた場合は、作成したカバーページ情報を記憶、保存した（ステップ106）後、送信する画像データと送信ジョブを本体に送信する（ステップ107）。一方、カバーページ履歴取得コマンドを受信すると、ログインユーザのカバーページ履歴情報を送信し（ステップ113）、履歴情報によるカパーページ付送信コマンドを受信すると、当該カバーページを付けて送信ジョブを作成し（ステップ113）、本体に送信する。  【選択図】図６
2006135580.tif 000002
【特許請求の範囲】
【請求項１】
端末装置と通信ネットワークを介して接続され、上記端末装置からログインしてカバーページ送信処理を実行することが可能なネットワーク複合機であって、
上記カバーページ送信を制御する制御手段と、カバーページの情報を記憶する記憶手段とを備え、上記制御手段が、ログインユーザ毎にカバーページの情報を上記記憶手段に記憶することを特徴とするネットワーク複合機。
【請求項２】
請求項１に記載のネットワーク複合機において、
カバーページ送信時に上記端末装置からカバーページを残すか否かの選択が可能であり、カバーページを残す選択が行われたとき、上記制御手段が、カバーページの情報を上記記憶手段に記憶することを特徴とするネットワーク複合機。
【請求項３】
請求項１または請求項２に記載されたネットワーク複合機において、
上記端末装置から上記記憶手段に記憶されたカバーページの情報を用いて送信を行う指示がなされたとき、上記制御手段が過去のカバーページの情報を端末装置のモニタ画面にリストアップすることを特徴とするネットワーク複合機。
【請求項４】
請求項３に記載されたネットワーク複合機において、
上記制御手段が、上記リストアップされた過去のカバーページ情報の近傍にカバーページ画像を確認するためのプレビューボタンを表示することを特徴とするネットワーク複合機。
【発明の詳細な説明】
【技術分野】
【０００１】
本発明はパーソナルコンピュータ（以下、パソコンという）などの端末装置とＬＡＮなどの通信ネットワークを介して接続され、端末装置のデータや機器内部に保存されたデータを端末装置から送信指示することが可能なネットワーク複合機に関する。
【背景技術】
【０００２】
近時、オフィスなどにおいて、ファクシミリスステムが普及してきており、データ通信上有益な役割を果たしている。このようなシステムは、例えば、ＬＡＮなどの通信ネットワークにより、ネットワーク複合機や端末装置いわゆるクライアントパソコンなどを接続して構成されており、ネットワーク複合機は、ファクシミリ受信したデータをクライアントパソコンに転送したり、クライアントパソコンから転送先を指定したデータを受信すると、受信したデータを指定された転送先に送信するようになっている。
【０００３】
このようなネットワーク複合機はウェブブラウザ機能を有するネットワークボードを備え、複合機本体からの操作によりスキャンした場合に、スキャン文書をネットワークボード内部に保存するとともに、指定された端末装置にスキャン文書の保存を通知したり、あるいは、ファクス／メールを受信した場合に、ネットワーク複合機がネットワークボードの所定の格納場所に画像データを一時的に記憶し、ユーザがネットワークボードの格納場所にアクセスして画像データを取り込むようにした機能もあり、このような場合には、ネットワーク複合機がＵＤＰ／ＩＰパケットで端末装置に各事象が発生した旨を通知するようにしている。
【０００４】
なお、ＵＤＰはＩＰの上位プロトコルで、トランスポート層に属し、ＴＣＰが持っているコネクション管理、応答確認、シーケンス、ウィンドウ制御、フロー制御といった機能を持っていないので、データが確実に相手に届くという保証がないが、負荷が少なく、動作が速い。
【０００５】
また、最近のネットワーク複合機は、受信したファクス文書やスキャンした紙文書などを回覧者指定で通知したり、このような文書をウェブブラウザからの操作で掲示板に掲載し、だれでも閲覧することができるような機能も備えており、このような回覧や掲示板への文書掲示が発生した場合にも、ネットワーク複合機はＵＤＰ／ＩＰパケットで端末装置に通知するようにしている。
【０００６】
一方、このようなネットワーク複合機では、端末装置のウェブブラウザ画面から端末装置内のデータや上記のようにしてネットワーク複合機内に保存された画像データをファクス送信やメール送信できるようになっている。ネットワーク複合機内に保存された画像データを送信する場合は、ウェブブラウザ画面にネットワーク複合機本体に保存された文書の一覧リストを表示し、この文書一覧リスト画面で送信したい画像データを指定して送信を指示することにより、指定した画像データをファクス送信やメール送信することができる。
このような画像送信を行う場合、従来のネットワーク複合機は、件名とコメントがウェブ画面から入力されると、カバーページの雛形に件名とコメントの文字を埋め込んでカバーページとして送信画像とともに送信できるような機能を備えている（例えば、特許文献１参照。）。
【特許文献１】特開２００３−３０９６９３号公報
【発明の開示】
【発明が解決しようとする課題】
【０００７】
上記のように、従来のネットワーク複合機は、端末装置内のデータやネットワーク複合機内に保存された画像データを端末装置からの指示によって送信できるようになっており、その際にカバーページ送信を行う機能を備えているが、このカバーページ送信を行う時には、一々件名とコメントを入力しなければならず、手間と時間がかかるという問題があった。
【０００８】
本発明は、上記の問題に鑑みてなされたもので、同じ相手先に端末装置内のデータやネットワーク複合機内に保存された画像データを送信する場合等に、カバーページを簡単に作成することができるネットワーク複合機を提供することを目的とする。
【課題を解決するための手段】
【０００９】
上述の目的を達成するため、請求項１に係る発明のネットワーク複合機は、端末装置と通信ネットワークを介して接続され、上記端末装置からログインしてカバーページ送信処理を実行することが可能なネットワーク複合機であって、上記カバーページ送信を制御する制御手段と、カバーページの情報を記憶する記憶手段とを備え、上記制御手段が、ログインユーザ毎にカバーページの情報を上記記憶手段に記憶することを特徴とする。
【００１０】
また、請求項２に係る発明のネットワーク複合機は、請求項１に記載されたネットワーク複合機において、カバーページ送信時に上記端末装置からカバーページを残すか否かの選択が可能であり、カバーページを残す選択が行われたとき、上記制御手段が、カバーページの情報を上記記憶手段に記憶することを特徴とする。
【００１１】
さらに、請求項３に係る発明のネットワーク複合機は、請求項１または請求項２に記載されたネットワーク複合機において、上記端末装置から上記記憶手段に記憶されたカバーページの情報を用いて送信を行う指示がなされたとき、上記制御手段が過去のカバーページの情報を端末装置のモニタ画面にリストアップすることを特徴とし、また、請求項４に係る発明のネットワーク複合機は、請求項３に記載されたネットワーク複合機において、上記制御手段が、上記リストアップされた過去のカバーページ情報の近傍にカバーページ画像を確認するためのプレビューボタンを表示することを特徴とする。
【発明の効果】
【００１２】
請求項１、請求項２に係る発明のネットワーク複合機によれば、カバーページ送信時に端末装置からカバーページを残すか否かの選択を行うことができ、カバーページを残す場合には、ネットワーク複合機の記憶手段にログインユーザ毎にカバーページの情報が記憶されるので、同じ相手先に送信する場合等には、記憶手段に記憶されたカバーページの情報を利用することにより、簡単にカバーページを作成することができる。
【００１３】
また、請求項３に係る発明のネットワーク複合機によれば、端末装置から記憶手段に記憶されたカバーページを用いて送信を実行する指示を行うと、過去のカバーページの情報、すなわち、過去に使用した件名やコメント文章がリストアップされるので、その中から適当な情報を選択することにより、簡単にカバーページを作成することができ、さらに、請求項４に係る発明のネットワーク複合機によれば、リストアップされた過去のカバーページ情報の近傍にカバーページ画像を確認するためのプレビューボタンが表示されるので、このボタンをクリックすることにより、これから送信するであろうカバーページの画像を簡単に確認することができる。
【実施例】
【００１４】
以下、本発明のネットワーク複合機の実施例について、図面を用いて説明する。図１はネットワーク複合機を備えたシステムのネットワーク構成例を示す図であり、図２はネットワーク複合機のハードウェア構成を示すブロック図、図３はネットワークボードの機能を示す機能ブロック図である。
【００１５】
図１に示すネットワーク構成図において、１はネットワーク複合機、２、３、４・・・はパソコン、５は公衆交換電話網（ＰＳＴＮ）、６はＬＡＮ（Local Area Network）、７はインターネット網である。ネットワーク複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、ネットワーク複合機１はこのインターネット網７を介してメールの送受信を行うことが可能である。
【００１６】
図２はネットワーク複合機１の制御系の構成を示す概略ブロック図であり、図に示すように、ネットワーク複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ネットワークボード２１及びＬＡＮインターフェース（Ｉ／Ｆ）２２から構成され、各部がバス２３を介して接続されている。
【００１７】
ＣＰＵ１１はバス２３を介してネットワーク複合機１のハードウェア各部を制御するとともに、ＲＯＭ１２に記憶されたプログラムに基づいて各種のプログラムを実行し、ＲＯＭ１２はネットワーク複合機の動作に必要な種々のプログラムや操作メッセージ等を予め記憶している。また、ＲＡＭ１３はＳＲＡＭ等で構成され、プログラムの実行時に発生する一時的なデータを記憶する。
【００１８】
表示・操作部１４は、ネットワーク複合機の動作状態を表示したり、種々の機能の操作画面の表示を行う表示部と、ネットワーク複合機を操作するための多数の操作キーとから構成されている。読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力する。
【００１９】
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトするものである。
【００２０】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２１】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２２】
また、ＬＡＮインターフェース２２はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２３】
ネットワーク複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。
【００２４】
一方、ネットワークボード２１は図３の機能ブロック図に示すように、ＴＣＰ／ＩＰプロトコル制御部３１、ＨＴＴＰＤ制御部３２、ホームページ管理部３３、文書管理部３４、カバーページ管理部３５からなり、これらの各部は、ＣＰＵ、ＲＯＭ、ＲＡＭ等のメモリ、磁気ディスク（ハードディスク）記憶装置等により構成されている。
【００２５】
ＴＣＰ／ＩＰプロトコル制御部３１はＴＣＰ（Transmission  Control  Protocol）／ＩＰ（Internet  Protocol）を制御し、ＨＴＴＰＤ制御部３２は、ＴＣＰ／ＩＰプロトコル制御部３１によるデータストリーム転送機能を用いてＨＴＴＰＤ（Hyper  Text  Transfer  Protocol  Deamon）機能に対する処理を実行し、パソコン２、３、４等のＷＷＷ（World  Wide  Web）ブラウザからの要求を処理する。
なお、ＨＴＴＰＤはＨＴＴＰサーバの機能を提供するデーモンで、ＵＮＩＸ（登録商標）オペレーティング・システム上でウェブサーバを運用する際に使われるものである。
【００２６】
また、ホームページ管理部３３は、ＨＴＴＰＤ制御部３２からのホームページ要求に対応してホームページファイルをＨＴＴＰＤ制御部３２に出力し、文書管理部３４はネットワーク複合機１本体からの操作によるスキャン文書、ファクス／メール受信の配信文書等の文書を記憶・保存するととともに、ＨＴＴＰＤ制御部３２からの要求に応じて保存文書の一覧情報をＨＴＭＬ（Hyper Text Markup Language）形式のファイルに変換してＨＴＴＰＤ制御部３２に出力し、かつ、ＨＴＴＰＤ制御部３２から入力された情報を解析して、保存文書の転送、削除等の処理を行う。
カバーページ管理部３５はログインユーザ毎または、ログインユーザ毎かつ送信相手先毎に、過去に送信されたカバーページの件名、コメント文章及びカバーページ画像をインデックス番号を付して記憶することによりカバーページ情報を管理する。
【００２７】
次に、ユーザがパソコン２、３、４等からネットワーク複合機１の内部に格納された画像の送信を実行する場合の作用について説明する。
ユーザがＷＷＷブラウザを起動し、例えば、パソコン２のモニタ画面に表示されたＷＷＷブラウザ画面において、ネットワーク複合機１のＩＰアドレスを指定してアクセスを行うと、ネットワークボード２１のＨＴＴＰＤ制御部３２がこれを検知し、ホームページ管理部３３からＨＴＭＬで記述されたホームページファイルを読み出し、ＴＣＰ／ＩＰプロトコル制御部３１、ＬＡＮインターフェース２２、ＬＡＮ６を介してパソコン２に転送する。
【００２８】
そして、ユーザがこのホームページから文書の一覧表示を選択して指示すると、この一覧表示指示情報がＬＡＮ６を介してネットワーク複合機１に転送され、ネットワークボード２１のＨＴＴＰＤ制御部３２がこれを検知する。これにより、ＨＴＴＰＤ制御部３２が文書管理部３４に文書一覧転送を指示し、文書管理部３４が保存文書の一覧情報をＨＴＭＬ形式のファイルに変換してパソコン２に転送する。
これにより、パソコン２のモニタ画面に図４に示す文書一覧リスト画面が表示される。
【００２９】
図４に示すように、この文書一覧リスト画面の上部に、スキャン画像、送信文書、受信文書、共有受信文書、掲示板、回覧文書、処理依頼文書の切替タブと、「転送」、「送信」、「プリント」、「ダウンロード」、「削除」、「掲示板」、「回覧」、「処理依頼」等の機能選択ボタンが表示されている。また、文書一覧リスト画面の下部には、受信文書の場合、相手先名、文書分類、ページ数、受信日時等が表示される。
そして、文書をファクス送信またはメール送信したい場合には、上記の文書一覧リスト画面において、送信したい文書をチェックして「送信」ボタンをクリックすることにより、図５に示す送信ダイアログ画面がパソコン２のモニタ画面に表示される。
【００３０】
この送信ダイアログ画面には、図に示すように、ファクス送信宛先入力欄、電子メール送信宛先入力欄、電子メール本文編集欄、送信文書指示欄、カバーページ情報入力欄、配布指示欄、履歴保存指示欄等が表示されている。
送信文書指示欄では、当初、図４の文書一覧リストでチェックした文書が表示されているが、「変更」ボタンをクリックすることにより、送信文書選択画面が表示されるので、この画面で送信文書の変更を行うことが可能である。また、この欄で、電子メールで送信するときの添付ファイル形式の選択も行うことができる。
【００３１】
また、カバーページ欄では、「件名」、「コメント」を入力することができ、入力された件名とコメントの文字がカバーページの雛形に埋め込まれてカバーページとして送信される。さらに、この欄には、送信した後にカバーページを残すか否かを選択する選択欄が設けられており、「保存する」をチェックすることにより、送信後にカバーページの情報をネットワーク複合機１の内部に残すことができる。また、「履歴取得」ボタンをクリックすることにより、過去にカバーページ送信を実行して、ネットワーク複合機に保存されているカバーページの情報をパソコン２のモニタ画面に表示させることができる。
【００３２】
次に、ユーザが上記の送信ダイアログ画面で操作を行った場合のネットワーク複合機１の作用について、図６のフローチャートにより説明する。
ネットワークボード２１のＨＴＴＰＤ制御部３２は、常時、図６のフローチャートに示すプログラムを実行し、ＴＣＰ／ＩＰプロトコル制御部３１を介してパソコン２、３、４等からＨＴＴＰデータを受信したか否かを判定している（ステップ１０１）。そして、例えば、パソコン２からＨＴＴＰデータを受信したと判定すると、ＨＴＴＰＤ制御部３２はカバーページ付送信の処理か否かを判定し（ステップ１０２）、カバーページ付送信の処理と判定した場合、受信したカバーページの件名とコメントをカバーページの雛形に埋め込んでカバーページを作成する（ステップ１０３）。
【００３３】
次に、ＨＴＴＰＤ制御部３２は、作成したカバーページをつけて受信した相手先の直接ＦＡＸ番号または直接メールアドレス情報で送信ジョブを作成した（ステップ１０４）後、カバーページ付送信処理指示においてカバーページの保存が選択されていたか否かを判定する（ステップ１０５）。
図５の送信ダイアログ画面でユーザが「保存する」をチェックしており、カバーページの保存が選択されていたと判定した場合、ＨＴＴＰＤ制御部３２は、カバーページ管理部３５内のログインしているユーザのフォルダにカバーページの件名、コメント、及び、作成したカバーページ画像をインデックス番号を付して記憶、保存する（ステップ１０６）。
【００３４】
ステップ１０６でカバーページを保存した後、あるいは、ステップ１０５でカバーページの保存が選択されていないと判定した場合は、ＨＴＴＰＤ制御部３２は、送信する画像データを文書管理部３４から読み出し、作成した送信ジョブとともに、ネットワーク複合機１の本体に送信する（ステップ１０７）。
【００３５】
一方、ステップ１０２でカバーページ付送信処理でないと判定した場合、ＨＴＴＰＤ制御部３２は、カバーページ履歴情報によるカパーページ付送信コマンドを受信したか否かを判定し（ステップ１０８）、カバーページ履歴情報によるカパーページ付送信コマンドでないと判定した場合、カバーページ履歴取得コマンドを受信したか否かを判定し（ステップ１０９）、カバーページ履歴取得コマンドでないと判定した場合は、ＨＴＴＰのその他の処理を実行する（ステップ１１０）。
【００３６】
ユーザが図５の送信ダイアログ画面のカバーページ欄の「履歴取得」ボタンをクリックした場合、ＨＴＴＰＤ制御部３２は、ステップ１０９でカバーページ履歴取得コマンドを受信したと判定し、カバーページ管理部３５にログインしてるユーザのカバーページ履歴情報があるか否かを判定し（ステップ１１１）、ログインユーザのカバーページ履歴情報がないと判定した場合、カバーページ情報がない旨をパソコン２に送信し（ステップ１１２）、ログインユーザのカバーページ履歴情報があったと判定した場合は、そのログインユーザのカバーページ履歴一覧情報をカバーページ管理部３５から読み出して、パソコン２に送信する（ステップ１１３）。
これにより、パソコン２のモニタ画面に図７に示すカバーページ履歴一覧情報が表示される。
【００３７】
このカバーページ履歴一覧表示画面には、図に示すように、インデックス番号、送信宛先名、件名、コメントが表示されるとともに、各履歴情報の横にプレビューボタンがサムネイル画像として表示されている。このプレビューボタンをクリックすることにより、パソコン２のモニタ画面にカバーページ画像が表示されるので、送信されるであろうカバーページの内容を確認することができる。
この画面で、ユーザが使用したいカパーページのインデックス番号の左側のチェック欄をチェックした後、「ＯＫ」ボタンをクリックすることにより、指定されたインデックス番号、カバーページ履歴情報によるカパーページ付送信コマンド及びダイアログ画面で入力された情報がネットワーク複合機１に送信され、また、「閉じる」ボタンをクリックすることにより、このカバーページ履歴一覧画面が閉じ、送信ダイアログ画面に戻る。
【００３８】
そして、ステップ１０８において、カバーページ履歴情報によるカパーページ付送信コマンドであると判定した場合、ＨＴＴＰＤ制御部３２は、カバーページ管理部３５から受信したインデックス番号に該当するカバーページ画像を読み出し、このカバーページ画像を付けて受信した相手先の直接ＦＡＸ番号または直接メールアドレス情報で送信ジョブを作成した（ステップ１１３）後、送信する画像データを文書管理部３４から読み出し、作成した送信ジョブとともに、ネットワーク複合機１の本体に送信する（ステップ１０７）。
【００３９】
次に、送信ジョブを受けた場合の、ネットワーク複合機１本体の作用について、図８のフローチャートにより説明する。
ネットワーク複合機１のＣＰＵ１１は、常時、図８のフローチャートに示すプログラムを実行し、ネットワークボード２１から送信ジョブを受信したか否かを判定している（ステップ２０１）。そして、送信ジョブを受信したと判定すると、ＣＰＵ１１は送信相手先等の送信情報をＲＡＭ１３に記憶するとともに、カバーページ画像データ、送信画像データを画像メモリ１６に記憶する（ステップ２０２）。
【００４０】
次に、ＣＰＵ１１は送信相手先情報がＦＡＸ番号か否かを判定し（ステップ２０３）、ＦＡＸ番号であった場合には、送信相手先のＦＡＸ番号をモデム１９、ＮＣＵ２０を制御してＰＳＴＮ５に送出させ、通信が確立すると、画像メモリ１６に蓄積されているカバーページ画像データ、送信画像データをモデム１９で変調した後、ＮＣＵ２０からＰＳＴＮ５を通して相手先にファクシミリ送信する。
【００４１】
一方、ステップ２０３で送信相手先情報がＦＡＸ番号でないと判定した場合、ＣＰＵ１１は画像メモリ１６に蓄積されているカバー画像データと受信画像データを図５の送信ダイアログ画面で指定されたファイル形式（例えば、ＴＩＦＦ形式ファイル）に変換して電子メール用の添付ファイルを作成し、作成した添付ファイルを電子メールに添付して送信宛先のメールアドレスに宛てて送信する。
【００４２】
以上のように、本発明のネットワーク複合機によれば、カバーページ送信時にパソコンからカバーページを残す選択を行えば、ネットワーク複合機の内部にログインユーザ毎にカバーページの情報が記憶されるので、同じ相手先に送信する場合等には、記憶手段に記憶されたカバーページの情報を利用することにより、簡単にカバーページを作成することができる。
この場合、パソコンからネットワーク複合機に記憶された過去に使用したカバーページの利用を指示すると、パソコンのモニタ画面に過去のカバーページの件名やコメント文章がリストアップされるので、必要なものを容易に選択することができる。
【００４３】
なお、上記の実施例では、文書一覧リスト画面から送信したい画像を指示してファクス送信やメール送信を行う例について説明したが、端末装置の内部に保存されている画像を指定してファクス送信やインターネット・ファクス送信を行う場合にも、本発明を適用することができ、このような場合には、ネットワーク複合機１本体のＣＰＵ１１によりカバーページの履歴情報をパソコンに送信する等の制御を行うことも可能である。
【００４４】
また、上記の実施例では、ログインユーザ毎にカバーページ情報を管理し、カバーページ履歴取得要求があった場合に、ログインユーザの過去のカバーページの送信宛先名、件名等をパソコンに送信したが、ログインユーザ毎かつ送信相手先毎にカバーページ情報を管理し、カバーページ履歴取得要求があった場合に、そのときのログインユーザ名と図５の送信ダイアログ画面の送信宛先で指定された宛先に対応したカバーページの一覧情報をパソコンに送信するようにすることも可能である。
【図面の簡単な説明】
【００４５】
【図１】ネットワーク複合機を備えたシステムのネットワーク構成例を示す図である。
【図２】本発明のネットワーク複合機のハードウェア構成を示すブロック図である。
【図３】本発明で使用するネットワークボードの機能ブロック図である。
【図４】本発明で表示される文書一覧リスト画面の一例を示す図である。
【図５】本発明で表示される送信ダイアログ画面の一例を示す図である。
【図６】図５の送信ダイアログ画面で操作した場合のネットワーク複合機の作用を示すフローチャートである。
【図７】本発明で表示されるカバーページ履歴一覧表示画面の一例を示す図である。
【図８】送信ジョブを受けた場合の、ネットワーク複合機本体の作用を示すフローチャートである。
【符号の説明】
【００４６】
１  ネットワーク複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ネットワークボード
２２  ＬＡＮ  Ｉ／Ｆ
２３  バス
３１  ＴＣＰ／ＩＰプロトコル制御部
３２  ＨＴＴＰＤ制御部
３３  ホームページ管理部
３４  文書管理部
３５  カバーページ管理部
【図１】
2006135580.tif 000003
【図２】
2006135580.tif 000004
【図３】
2006135580.tif 000005
【図４】
2006135580.tif 000006
【図５】
2006135580.tif 000007
【図６】
2006135580.tif 000008
【図７】
2006135580.tif 000009
【図８】
2006135580.tif 000010